Podtech/llm-jp-corpus-v4-ja_patent huggingface dataset:
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
車両フラップの駆動装置であって、
車両フラップを駆動するための電気モーター（２）と、
供給回路（３）であって、電気モーター（２）に電力を供給するための第１電圧源（９）、第１導線（４）および第２導線（５）を含み、第１電圧源（９）は、第１導線（４）と第２導線（５）との間に配置される、前記供給回路（３）と、
第２電圧源（１４）およびスイッチ制御装置（１３）を含む制御回路（１２）とを含み、
スイッチング素子（１０）およびダイオード（１１）が第１導線（４）と第２導線（５）との間に接続され、
スイッチング素子（１０）およびダイオード（１１）は直列に接続され、
スイッチ制御装置（１３）は、リレーとして設計されることを特徴とする、前記駆動装置。
【請求項２】
スイッチング素子（１０）が、スイッチ制御装置（１３）に連結され、スイッチ制御装置（１３）が、スイッチング素子（１０）を切り替えるための制御電圧を提供することを特徴とする、請求項１に記載の駆動装置。
【請求項３】
ダイオード（１１）が、順方向において、第１導線（４）から第２導線（５）に向かう方向に配置されることを特徴とする、請求項１または２に記載の駆動装置。
【請求項４】
ダイオード（１１）が、逆方向において、第１導線（４）から第２導線（５）に向かう方向に配置されることを特徴とする、請求項１または２に記載の駆動装置。
【請求項５】
ダイオード（１１）が、短絡の場合に駆動装置が閉鎖方向に制動されるように、第１導線（４）と第２導線（５）の間に配置されることを特徴とする、請求項１または２に記載の駆動装置。
【請求項６】
スイッチ制御装置（１３）に連結されたスイッチング素子（１０）が、通常は閉接点として設計されることを特徴とする、請求項１〜５のいずれか一項に記載の駆動装置。
【請求項７】
スイッチ制御装置（１３）に連結されたスイッチング素子（１０）が、動作接点として設計されることを特徴とする、請求項１〜５のいずれか一項に記載の駆動装置。
【請求項８】
制御回路（１２）が、論理ユニット（１５）を含むことを特徴とする、請求項１〜７のいずれか一項に記載の駆動装置。
【請求項９】
論理ユニット（１５）が、スイッチ制御装置（１３）に連結されることを特徴とする、請求項８に記載の駆動装置。
【請求項１０】
ダイオード（１１）が、フライバックダイオードとして設計されることを特徴とする、請求項１〜９のいずれか一項に記載の駆動装置。
【請求項１１】
車両であって、
車両本体部に旋回可能に配置される、車両フラップと、
駆動装置であって、駆動装置の第１端部は、車両フラップおよび車両本体部の一方に旋回可能に連結され、駆動装置の第２端部は、車両フラップおよび車両本体部の他方に旋回可能に連結される、前記駆動装置とを含み、
駆動装置が、請求項１〜１０のいずれか一項に従って設計される、前記車両。
【手続補正書】
【提出日】令和3年7月27日(2021.7.27)
【手続補正１】
【補正対象書類名】特許請求の範囲
【補正対象項目名】全文
【補正方法】変更
【補正の内容】
【特許請求の範囲】
【請求項１】
複数のスピンドル（８）を備えるリング紡績機（１）の動作方法であって、前記スピンドル（８）は、スピンドルベンチ（２２）上に配置されており、かつそれぞれ１つの電気駆動部（９）を含んでおり、
各電気駆動部（９）は分散型コントロールモジュール（１０）を有しており、前記分散型コントロールモジュール（１０）は前記電気駆動部（９）と相互作用し、かつデータバス（１３，１４）を用いた、通信のための手段（１０）によって、上位レベルの中央コントロール装置（１２）と通信することができ、
前記データバス（１３，１４）とは無関係の、デジタル通信ネットワーク（１５）が前記中央コントロール装置（１２）と前記分散型コントロールモジュール（１０）との間に設けられており、それを介して、前記電気駆動部（９）のすべての分散型コントロールモジュール（１０）が同時に前記中央コントロール装置（１２）によってコンタクトでき、
前記デジタル通信ネットワーク（１５）を介して、前記中央コントロール装置（１２）から、開始信号／停止信号または加速勾配または減速勾配を制御するための命令が前記分散型コントロールモジュール（１０）に送信される、
リング紡績機（１）の動作方法。
【請求項２】
前記中央コントロール装置（１２）と前記分散型コントロールモジュール（１０）との間に、セクションコントロールモジュール（１１）が設けられており、データバス（１３，１４）として、前記中央コントロール装置（１２）と前記セクションコントロールモジュール（１１）との間に機械データバス（１３）が設けられており、前記セクションコントロールモジュール（１１）と前記分散型コントロールモジュール（１０）との間にセクションデータバス（１４）が設けられており、これらを介して通信が行われる、請求項１記載のリング紡績機（１）の動作方法。
【請求項３】
前記リング紡績機（１）のリングベンチに配置されている操作ユニット（１７）は直接的に、割り当てられている前記スピンドル（８）の前記電気駆動部（９）と、前記データバス（１３，１４，１８，１９）を介して通信する、請求項１または２記載のリング紡績機（１）の動作方法。
【請求項４】
前記スピンドルベンチ（２２）は動作中に駆動される、請求項１から３までのいずれか１項記載のリング紡績機（１）の動作方法。
【請求項５】
複数のスピンドル（８）を備えたリング紡績機（１）であって、
前記スピンドル（８）はスピンドルベンチ（２２）上に配置されており、かつそれぞれ１つの電気駆動部（９）を含んでおり、
各電気駆動部（９）は分散型コントロールモジュール（１０）を有しており、前記分散型コントロールモジュール（１０）は、前記電気駆動部（９）と相互作用し、かつデータバス（１３，１４）を用いた、上位レベルの中央コントロール装置（１２）との通信のための手段を有し、
前記データバス（１３，１４）とは無関係の、デジタル通信ネットワーク（１５）が前記中央コントロール装置（１２）と前記分散型コントロールモジュール（１０）との間に設けられており、それを介して、前記電気駆動部（９）のすべての分散型コントロールモジュール（１０）が同時に前記中央コントロール装置（１２）によってコンタクトされ得、
前記デジタル通信ネットワーク（１５）を介して、前記中央コントロール装置（１２）から、開始信号／停止信号または加速勾配または減速勾配を制御するための命令が前記分散型コントロールモジュール（１０）に送信され得る、
リング紡績機（１）。
【請求項６】
１つの前記分散型コントロールモジュール（１０）または分散型コントロールモジュール（１０）のグループと、前記中央コントロール装置（１２）との間に、セクションコントロールモジュール（１１）が設けられている、請求項５記載のリング紡績機（１）。
【請求項７】
データバスとして、前記中央コントロール装置（１２）と前記セクションコントロールモジュール（１１）との間に機械データバス（１３）が設けられており、前記セクションコントロールモジュール（１１）と前記分散型コントロールモジュール（１０）との間にセクションデータバス（１４）が設けられている、請求項６記載のリング紡績機（１）。
【請求項８】
前記リング紡績機（１）のリングベンチ（２３）に配置されている操作ユニット（１７）は直接的に、割り当てられている前記スピンドル（８）の前記電気駆動部（９）と、前記データバス（１３，１４，１８，１９）を介して通信することができる、請求項５から７までのいずれか１項記載のリング紡績機（１）。
【請求項９】
前記スピンドルベンチ（２２）は前記リング紡績機の動作中に駆動可能である、請求項５から８までのいずれか１項記載のリング紡績機（１）。
【請求項１０】
電気駆動部（９）として、電気的な同期モータまたは非同期モータまたはブラシレスＤＣモータが設けられている、請求項５から９までのいずれか１項記載のリング紡績機（１）。
【請求項１１】
コンピュータプログラム製品であって、
前記コンピュータプログラム製品は、リング紡績機の内部メモリに直接的にロード可能であり、かつソフトウェアコードセクションを含んでおり、前記ソフトウェアコードセクションによって、前記コンピュータプログラム製品が前記リング紡績機上で実行されるときに、請求項１から４までのいずれか１項記載の方法のステップが実施されることを特徴とするコンピュータプログラム製品。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
使い捨て式乾燥チャンバを使用して噴霧乾燥する方法であって、
ガス出口を有するガス通路と、前記ガス通路から横方向に延びる間隔部材と、を備えるガス入口マニホールドを用意することと、
前記使い捨て式乾燥チャンバを前記横方向に延びる間隔部材に固定して、前記使い捨て式乾燥チャンバの入口端部の内面と前記ガス通路の外面との間の間隙を確立することと、
噴霧液を、噴霧液通路を通して前記ガス出口に隣接して配置されたアトマイザに導くことと、ただし、前記噴霧液通路は、噴霧液リザーバに結合された近位部分と、前記アトマイザに結合された遠位部分を備え、
前記アトマイザを使用して複数の液滴を形成し、前記複数の液滴を前記使い捨て式乾燥チャンバ内に導くことと、
乾燥ガスを、前記ガス通路を通して前記ガス出口から前記使い捨て式乾燥チャンバ内に導入して、前記複数の液滴を少なくとも部分的に乾燥させ、複数の噴霧乾燥粒子を形成することと、
前記噴霧乾燥粒子を前記使い捨て式乾燥チャンバの出口から外に導くことと、
を含み、
前記使い捨て式乾燥チャンバが、ポリマー材料を含む内面を有する、
方法。
【請求項２】
前記間隔部材は、前記ガス通路の外面から十分に延びて、前記使い捨て式乾燥チャンバの前記入口端部の前記内面と前記ガス通路の前記外面との間に前記ガス通路の半径の５０％より大きく、かつ２００％未満の長さの円周間隙を確立する、請求項１に記載の方法。
【請求項３】
前記間隔部材は、前記ガス通路の外面から十分に延びて、前記使い捨て式乾燥チャンバの前記入口端部の前記内面と前記ガス通路の前記外面との間に前記ガス通路の半径の７５％より大きく、かつ２００％未満の長さの円周間隙を確立する、請求項１に記載の方法。
【請求項４】
前記間隔部材は、前記ガス通路の外面から十分に延びて、前記使い捨て式乾燥チャンバの前記入口端部の前記内面と前記ガス通路の前記外面との間に前記ガス通路の半径の１００％より大きく、かつ２００％未満の長さの円周間隙を確立する、請求項１に記載の方法
。
【請求項５】
前記乾燥ガスは、１００℃より高い温度で前記使い捨て式乾燥チャンバ内に導入される、請求項１〜４のいずれか一項に記載の方法。
【請求項６】
前記乾燥ガスは、１５０℃より高い温度で前記使い捨て式乾燥チャンバ内に導入される、請求項１〜５のいずれか一項に記載の方法。
【請求項７】
前記乾燥ガスは、２００℃より高い温度で前記使い捨て式乾燥チャンバ内に導入される、請求項１〜６のいずれか一項に記載の方法。
【請求項８】
前記ポリマー材料は、熱可塑性材料である、請求項１〜７のいずれか一項に記載の方法。
【請求項９】
前記ポリマー材料は、可撓性材料であり、前記使い捨て式乾燥チャンバ内への前記乾燥ガスの導入が、前記使い捨て式乾燥チャンバを膨張させて、密閉容積を画定する、請求項１〜８のいずれか一項に記載の方法。
【請求項１０】
前記ポリマー材料は、内層を形成し、前記内層は、外層によって少なくとも部分的に囲まれており、
前記外層は、前記第１の層とは異なる材料を含む、
請求項１〜９のいずれか一項に記載の方法。
【請求項１１】
前記ポリマー材料は３００℃以下の融点を有する、請求項１〜１０のいずれか一項に記載の方法。
【請求項１２】
前記噴霧液を、前記アトマイザに導かれる前に無菌濾過する工程と、
前記乾燥ガスを、前記使い捨て式乾燥チャンバ内に導入される前に無菌濾過する工程と、
前記使い捨て式乾燥チャンバを、前記使い捨て式乾燥チャンバの前記円周面を前記ガス入口マニホールドの前記横方向に延びる間隔部材に固定する前に無菌包装から取り出す工程と、
のうちの１つ以上を実行することを更に含む、
請求項１〜１１のいずれか一項に記載の方法。
【請求項１３】
前記ガス通路の少なくとも一部分を、前記使い捨て式乾燥チャンバ内に延ばし、それにより前記ガス通路の前記ガス出口を前記使い捨て式乾燥チャンバ内に位置決めする、請求項１〜１２のいずれか一項に記載の方法。
【請求項１４】
請求項１〜１３のいずれか一項に記載の方法によって形成される噴霧乾燥粒子。
【請求項１５】
請求項１〜１３のいずれか一項に記載の方法によって製造される薬剤製品。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
キャビティを含む機械（１００）の保守に使用するシステム（１００）であって、前記システム（１００）は、
挿入端（２０２、４１０、５０２）と、前記挿入端（２０２、４１０、５０２）の反対側の操縦端（２０４、４１２）と、を含むパイロット装置（２００、５００）であって、前記挿入端（２０２、４１０、５０２）は、前記パイロット装置（２００、５００）が前記機械（１００）を通る経路（２１４）を画定するように前記機械（１００）内に位置決め可能である、パイロット装置（２００、５００）と、
前記機械（１００）に対して前記挿入端（２０２、４１０、５０２）を操縦するように構成された操縦インターフェース（２１２、４２０）と、
前記機械（１００）の保守に使用する保守点検装置（１０２）であって、前記パイロット装置（２００、５００）によって画定された前記経路（２１４）に沿って移動するように構成される保守点検装置（１０２）と、を含むシステム（１００）。
【請求項２】
前記パイロット装置（２００、５００）によって画定された前記経路（２１４）に沿って延在するように構成されたガイド装置（３０５）をさらに含み、前記ガイド装置（３０５、５１０、６００、８００）は、前記保守点検装置（１０２）を前記経路（２１４）に沿ってガイドするように構成される、請求項１に記載のシステム（１００）。
【請求項３】
前記ガイド装置（３０５、５１０、６００、８００）はガイド部材（３０７、６０４）を含み、前記保守点検装置（１０２）は前記ガイド部材（３０７、６０４）に移動可能に結合される、請求項２に記載のシステム（１００）。
【請求項４】
前記ガイド部材（３０７、６０４）は軌道（３０７）を含み、前記保守点検装置（１０２）は前記軌道（３０７）に沿って前記機械（１００）内の位置に前進する、請求項３に記載のシステム（１００）。
【請求項５】
前記ガイド部材（３０７、６０４）は、前記保守点検装置（１０２）に結合され、前記保守点検装置（１０２）を前記機械（１００）内の位置に引っ張ることができるように構成されたケーブル（６０４、８０４）を含む、請求項３に記載のシステム（１００）。
【請求項６】
前記ガイド装置（３０５、５１０、６００、８００）は、前記パイロット装置（２００、５００）および前記ガイド装置（３０５、５１０、６００、８００）がアセンブリとして前記機械（１００）に挿入されるように前記パイロット装置（２００、５００）に結合される、請求項２に記載のシステム（１００）。
【請求項７】
前記パイロット装置（２００、５００）は、ヘッド（２１０、４１８、６１６）、第１の弾性シート（２０６）、および第２の弾性シート（２０８）を含み、前記第１の弾性シート（２０６）および前記第２の弾性シート（２０８）は、前記操縦端（２０４、４１２）から前記挿入端（２０２、４１０、５０２）まで延在し、前記ヘッド（２１０、４１８、６１６）は、前記挿入端（２０２、４１０、５０２）で前記第１の弾性シート（２０６）および前記第２の弾性シート（２０８）に結合される、請求項１に記載のシステム（１００）。
【請求項８】
前記第１のシート（２０６）および前記第２のシート（２０８）は、平面内で曲がるように比較的柔軟であり、前記平面外で曲がるのには比較的剛性である、請求項７に記載のシステム（１００）。
【請求項９】
前記操縦インターフェース（２１２、４２０）は、前記操縦端（２０４、４１２）で前記第１のシート（２０６）および前記第２のシート（２０８）に結合される、請求項７に記載のシステム（１００）。
【請求項１０】
前記パイロット装置（２００、５００）は、前記機械（１００）の特性を検出するように構成されたセンサを含む、請求項１に記載のシステム（１００）。
【請求項１１】
前記パイロット装置（２００、５００）は、前記機械（１００）からの前記保守点検装置（１０２）の回収を容易にするための係合特徴部（４２４）を含む、請求項１に記載のシステム（１００）。
【請求項１２】
前記保守点検装置（１０２）は、タービンアセンブリ（１００）の前記キャビティ内で動作するように構成され、前記保守点検装置（１０２）は、前記タービンアセンブリ（１００）に対して位置決め可能である、請求項１に記載のシステム（１００）。
【請求項１３】
前記保守点検装置（１０２）は、前記タービンアセンブリ（１００）の回転構成要素を使用して前記タービンアセンブリ（１００）の一部に隣接して前記保守点検装置（１０２）を位置決めすることを容易にするために、前記タービンアセンブリ（１００）に固定するように構成される、請求項１２記載のシステム（１００）。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
気体を圧送するための容積移送式真空ポンプであって、
ロータ及びステータを備え、
前記ロータ又は前記ステータの少なくとも一方が、液体源と流体連通するように構成された少なくとも１つの液体開口部を含み、
前記液体開口部は、前記液体源からの液体に作用する駆動力に応じて、液体ストリームが前記開口部から出力されるように構成され、前記液体ストリームは、前記ロータと前記ステータとの間に液体ブレードを形成し、前記ステータ、前記ロータ及び前記液体ブレードによって閉じ込められた気体が、前記ポンプを通って気体入口から気体出口に向かって運ばれ、前記シャフトとステータとが上下方向に配向されている、
ことを特徴とするポンプ。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
高温ガス構成要素（２）の壁（１）であって、
高温ガス側の表面（５）と、
前記高温ガス側の表面（５）の反対に位置させられる低温ガス側の表面（３）と、
冷却流体（４）を前記低温ガス側の表面（３）から前記高温ガス側の表面（５）まで導くための、前記低温ガス側の表面（３）における入口（８）から前記高温ガス側の表面（５）における出口（９）まで延びる少なくとも１つの膜冷却孔（７）と、
を備え、
それぞれの前記膜冷却孔（７）は、前記入口（８）から下流側に延びる一定の断面の計量区域（１０）と、前記計量区域（１０）から前記出口（９）へと延びる拡散器区域（１１）とを備え、
前記拡散器区域（１１）は、拡散器底部（１２）と２つの相対する拡散器側壁（１３）とによって少なくとも画定され、
前記拡散器区域（１１）は、前記計量区域（１０）から前記高温ガス側の表面（５）における前記出口（９）まで延び、前記拡散器底部（１２）の反対に位置し、その全長にわたって一定の断面を有する前端領域（２０）を有し、前記拡散器区域（１１）の前記前端領域（２０）は、前記出口（９）まで、前記計量区域（１０）の前端領域（２１）の延長に相当し、前記拡散器区域（１１）の前記前端領域（２０）は円筒形の切片の形態を有し、
前記拡散器区域（１１）は、流体流れを２つの下位流れへと分割するための２つの湾曲した断面の形とされた拡散器腕部（１５、１６）と、デルタ渦（２６）を発生させるための手段と、を備え、
前記拡散器底部（１２）は、
前記計量区域（１０）から、または、前記計量区域（１０）の近くの前記拡散器底部（１２）における点から、前記高温ガス側の表面（５）における前記出口（９）まで延びる線形および／または鈍的な中央縁（１４）と、
Ｖ字形とされた様態で前記計量区域（１０）から分岐する、前記中央縁（１４）の両側における２つの前記拡散器腕部（１５、１６）と、
が得られるように弧状にされ、
前記高温ガス側の表面（５）における前記出口（９）は、Ｖ字形とされ、具体的には、ブーメラン形とされ、前記高温ガス側の表面（５）における前記出口（９）は、Ｖ字形とされる後端縁（１７）を、２つの前記拡散器腕部（１５、１６）が前記計量区域の中心長手方向軸に対して直交する平面において５０°〜８０°の範囲で角度（β）を含むように、および／または、前記Ｖ字形とされる後端縁（１７）が１００°〜６０°の範囲で角度（α）を定めるように有し、
前記拡散器区域（１１）は、２つの湾曲した、具体的には凸状の側壁（１３）を備え、具体的には、前記拡散器区域（１１）の各々の湾曲した側壁（１３）は前記拡散器腕部（１５、１６）の一方の側壁（１３）であり、それぞれの前記側壁（１３）の曲率半径はそれぞれの前記拡散器腕部（１５、１６）の長手方向において変化する、壁（１）。
【請求項２】
前記角度（β）は５６°〜７６°の範囲にあること、および／または、前記角度（α）は、１００°〜７０°であることを特徴とする、請求項１に記載の壁（１）。
【請求項３】
前記角度（α）は９５°〜８０°であることを特徴とする、請求項２に記載の壁（１）。
【請求項４】
前記拡散器腕部（１５、１６）の長さは前記中央縁（１４）の長さを超えること、および／または、前記拡散器腕部（１５、１６）は前記計量区域（１０）に対して傾斜させられることを特徴とする、請求項１から３のいずれか一項に記載の壁（１）。
【請求項５】
各々の前記拡散器腕部（１５、１６）は谷のような湾曲した断面の形のものであることを特徴とする、請求項１から４のいずれか一項に記載の壁（１）。
【請求項６】
前記計量区域（１０）は円形の断面を有することを特徴とする、請求項１から５のいずれか一項に記載の壁（１）。
【請求項７】
前記拡散器区域（１１）の前記前端領域（２０）は、半分の円筒形の形態または半分未満の円筒形の形態を有することを特徴とする、請求項１から６のいずれか一項に記載の壁（１）。
【請求項８】
前記計量区域（１０）と前記拡散器区域（１１）の前記前端領域（２０）とは同じ半径を有することを特徴とする、請求項１から７のいずれか一項に記載の壁（１）。
【請求項９】
前記側壁（１３）は、前記拡散器底部（１２）を前記拡散器区域（１１）の前記前端領域（２０）と繋ぐことと、前記側壁（１３）は凸状であり、具体的には、前記拡散器区域（１１）の前記前端領域（２０）より大きい半径を有することとを特徴とする、請求項１から８のいずれか一項に記載の壁（１）。
【請求項１０】
前記計量区域（１０）の断面積（Ａ１）に対する、前記高温ガス側の表面（５）における前記出口（９）の前端点（２４）と交差する前記拡散器区域（１１）の断面積（Ａ２）の割合（ＡＲ）は、２〜６の範囲にあり、具体的には３．５〜４．０の範囲にあることを特徴とする、請求項１から９のいずれか一項に記載の壁（１）。
【請求項１１】
前記計量区域（１０）は、前記中央縁（１４）を伴う１つの平面に位置する中心長手方向軸（１８）を有することを特徴とする、請求項１から１０のいずれか一項に記載の壁（１）。
【請求項１２】
前記出口（９）の前記前端点（２４）は、前記計量区域（１０）の前記中心長手方向軸（１８）および前記中央縁（１４）が位置する同じ平面において、前記中央縁（１４）の反対に位置することを特徴とする、請求項１０に記載の壁（１）。
【請求項１３】
少なくとも１つの前記膜冷却孔（７）を備える、請求項１から１２のいずれか一項に記載の壁（１）を備える、ガスタービンのための高温ガス構成要素。
【請求項１４】
複数の前記膜冷却孔（７）を備える、請求項１から１２のいずれか一項に記載の壁（１）を備える、ガスタービンのための高温ガス構成要素。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
キャッシュ管理の方法であって、
キャッシュ中の第１のタイプのトラックのリストを生成するステップと、
前記キャッシュ中に第２のタイプのトラックのリストを生成するステップであって、Ｉ／Ｏオペレーションは、前記第２のタイプのトラックに対してよりも前記第１のタイプのトラックに対して相対的により速く完了される、前記生成するステップと、
ある１つのトラックを前記第１のタイプのトラックの前記リストから、または前記第２のタイプのトラックの前記リストからデモートすべきかどうかを判定するステップと
を備える、方法。
【請求項２】
前記第１のタイプのトラックは、ｓｙｎｃｉｏトラックであり、ｓｙｎｃｉｏトラックに対してＩ／Ｏオペレーションを行うために、アプリケーション・スレッドがスピン・ループ中に保持されて、前記Ｉ／Ｏオペレーションが完了するのを待機する、請求項１に記載の方法。
【請求項３】
前記第２のタイプのトラックは、ｎｏｎ−ｓｙｎｃｉｏトラックであり、ｎｏｎ−ｓｙｎｃｉｏトラックに対して前記Ｉ／Ｏオペレーションを行うために、前記アプリケーション・スレッドを前記スピン・ループ中に保持するステップが回避され、前記トラック上で行われる最後のＩ／Ｏオペレーションがｓｙｎｃｉｏオペレーションを備える第１のタイプのＩ／Ｏオペレーションまたはｎｏｎ−ｓｙｎｃｉｏオペレーションを備える第２のタイプのＩ／Ｏオペレーションであるかどうかに基づいて、ある１つのトラックが前記第１のタイプのトラックの前記リストへ、または前記第２のタイプのトラックの前記リストへ追加される、請求項２に記載の方法。
【請求項４】
前記第１のタイプのトラックの前記リスト中のトラックは、前記第１のタイプのトラックの前記リスト中の各トラックがどれほど最近に用いられたかに基づいて順序付けられ、前記第２のタイプのトラックの前記リスト中のトラックは、前記第２のタイプのトラックの前記リスト中の各トラックがどれほど最近に用いられたかに基づいて順序付けられる、請求項３に記載の方法。
【請求項５】
前記方法は、
前記第２のタイプのトラックの前記リスト中のトラックについてのリード・ヒット率が前記第１のタイプのトラックにおけるトラックについてのリード・ヒット率の所定の係数より小さいと判定するステップに応答して、ある１つのトラックを前記第２のタイプのトラックの前記リストからデモートするステップ
をさらに備える、請求項４に記載の方法。
【請求項６】
前記第１のタイプのトラックの前記リスト中のトラックについての前記リード・ヒット率および前記第２のタイプのトラックの前記リスト中のトラックについての前記リード・ヒット率は、前記第１のタイプのトラックおよび前記第２のタイプのトラックの前記リストの所定の底の部分に対するリード・ヒットに基づいて計算される、請求項５に記載の方法。
【請求項７】
前記方法は、
入力／出力（Ｉ／Ｏ）オペレーションの速度を増加させるために前記所定の係数を調整するステップ
をさらに備える、請求項５に記載の方法。
【請求項８】
キャッシュ管理のためのシステムであって、
メモリ、および
前記メモリに結合されたプロセッサを備え、前記プロセッサは、オペレーションを行い、前記プロセッサによって行われる前記オペレーションは、
キャッシュ中の第１のタイプのトラックのリストを生成するステップと、
前記キャッシュ中に第２のタイプのトラックのリストを生成するステップであって、Ｉ／Ｏオペレーションは、前記第２のタイプのトラックに対してよりも前記第１のタイプのトラックに対して相対的により速く完了される、前記生成するステップと、
ある１つのトラックを前記第１のタイプのトラックの前記リストから、または前記第２のタイプのトラックの前記リストからデモートすべきかどうかを判定するステップと
を備える、方法。
【請求項９】
前記第１のタイプのトラックは、ｓｙｎｃｉｏトラックであり、ｓｙｎｃｉｏトラックに対してＩ／Ｏオペレーションを行うために、アプリケーション・スレッドがスピン・ループ中に保持されて、前記Ｉ／Ｏオペレーションが完了するのを待機する、請求項８に記載のシステム。
【請求項１０】
前記第２のタイプのトラックは、ｎｏｎ−ｓｙｎｃｉｏトラックであり、ｎｏｎ−ｓｙｎｃｉｏトラックに対して前記Ｉ／Ｏオペレーションを行うために、前記アプリケーション・スレッドを前記スピン・ループ中に保持するステップが回避され、前記トラック上で行われる最後のＩ／Ｏオペレーションがｓｙｎｃｉｏオペレーションを備える第１のタイプのＩ／Ｏオペレーションまたはｎｏｎ−ｓｙｎｃｉｏオペレーションを備える第２のタイプのＩ／Ｏオペレーションであるかどうかに基づいて、ある１つのトラックが前記第１のタイプのトラックの前記リストへ、または前記第２のタイプのトラックの前記リストへ追加される、請求項９に記載のシステム。
【請求項１１】
前記第１のタイプのトラックの前記リスト中のトラックは、前記第１のタイプのトラックの前記リスト中の各トラックがどれほど最近に用いられたかに基づいて順序付けられ、前記第２のタイプのトラックの前記リスト中のトラックは、前記第２のタイプのトラックの前記リスト中の各トラックがどれほど最近に用いられたかに基づいて順序付けられる、請求項１０に記載のシステム。
【請求項１２】
キャッシュ管理のためのコンピュータ・プログラムであって、
キャッシュ中の第１のタイプのトラックのリストを生成するステップと、
前記キャッシュ中に第２のタイプのトラックのリストを生成するステップであって、Ｉ／Ｏオペレーションは、前記第２のタイプのトラックに対してよりも前記第１のタイプのトラックに対して相対的により速く完了される、前記生成するステップと、
ある１つのトラックを前記第１のタイプのトラックの前記リストから、または前記第２のタイプのトラックの前記リストからデモートすべきかどうかを判定するステップと
をコンピュータに実行させるコンピュータ・プログラム。
【請求項１３】
キャッシュ管理のためのストレージ・コントローラであって、
キャッシュ、および前記ストレージ・コントローラ中に維持されたキャッシュ管理アプリケーションを備え、前記キャッシュ管理アプリケーションは、オペレーションを行い、前記オペレーションは、
前記キャッシュ中の第１のタイプのトラックのリストを生成するステップと、
前記キャッシュ中に第２のタイプのトラックのリストを生成するステップであって、Ｉ／Ｏオペレーションは、前記第２のタイプのトラックに対してよりも前記第１のタイプのトラックに対して相対的により速く完了される、前記生成するステップと、
ある１つのトラックを前記第１のタイプのトラックの前記リストから、または前記第２のタイプのトラックの前記リストからデモートすべきかどうかを判定するステップと
を備える、ストレージ・コントローラ。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
プロセッサが、
領域特化字句駆動型プレパーサと領域非依存ルール・ベースのパーサとを含むテキスト・パーサにおいて入力テキストを取得することと、
前記入力テキスト中の第一の語を識別することと、
前記第一の語に対応するエントリを識別するために語彙データにアクセスすることであって、前記エントリが、コア・データおよび非コア・データを含み、前記コア・データは前記第一の語に対する領域非依存字句情報に対応し、前記非コア・データは前記第一の語に対する領域特化字句情報に対応する、アクセスすることと、
前記領域特化字句駆動型プレパーサにおいて、前記エントリの前記非コア・データが前記入力テキスト中の第二の語を前記第一の語の修飾語として識別していることを判断することと、
前記領域特化字句駆動型プレパーサにおいて、前記入力テキストの部分的に構文解析され括弧でくくられたバージョンを生成することであって、前記部分的に構文解析され括弧でくくられたバージョンは、前記入力テキスト中で前記第二の語が前記第一の語を修飾していることを示す、生成することと、
前記領域非依存ルール・ベースのパーサにおいて、前記入力テキストの前記部分的に構文解析され括弧でくくられたバージョンに基づいて、前記入力テキストの構文解析されたバージョンを生成することと、
を実行する、方法。
【請求項２】
前記非コア・データが領域特化コーパスの解析に基づいている、請求項１に記載の方法。
【請求項３】
前記非コア・データが、ユーザ入力、または共起の統計のうちの少なくとも１つに基づき、前記共起の統計が領域特化コーパスの解析に基づいて生成される、請求項１に記載の方法。
【請求項４】
前記第二の語が、形容詞修飾語、前置詞修飾語、または名詞修飾語のうちの少なくとも１つを含む、請求項１〜請求項３のいずれか一項に記載の方法。
【請求項５】
前記入力テキストの前記部分的に構文解析され括弧でくくられたバージョンが、前記領域特化字句駆動型プレパーサによって、領域特化型構文解析ルールに基づいて生成される、請求項１〜請求項４のいずれか一項に記載の方法。
【請求項６】
前記領域特化型構文解析ルールが、連語ルール、形態意味論ルール、固有表現ベース・パターン・ルール、または意味論構文パターン・ルールのうちの少なくとも１つを含む、請求項５に記載の方法。
【請求項７】
前記領域特化字句駆動型プレパーサにおいて、前記非コア・データが前記入力テキスト中の１つ以上の第三の語を前記第一の語の１つ以上のさらなる領域特化的修飾語として識別していることを判断することをさらに含み、
前記部分的に構文解析され括弧でくくられたバージョンは、前記入力テキスト中で前記１つ以上の第三の語が前記第一の語を修飾していることを示す、請求項１〜請求項６のいずれか一項に記載の方法。
【請求項８】
前記入力テキストが、領域特化コーパスに関連付けられた第一領域に関連付けられていることを判断することをさらに含む、請求項１〜請求項７のいずれか一項に記載の方法。
【請求項９】
前記非コア・データが、１つ以上のさらなる領域に対する、前記第一の語の１つ以上のさらなる修飾語を含み、前記第一領域は、前記１つ以上のさらなる領域の各々とは別種である、請求項８に記載の方法。
【請求項１０】
前記第一領域が、医療、技術、芸術、音楽、財務、石油およびガス、英語、フランス語、スペイン語、または他の特化された領域のうちの少なくとも１つを含み、前記さらなる領域が、医療、技術、芸術、音楽、財務、石油およびガス、英語、フランス語、またはスペイン語のうちの少なくとも１つを含む、請求項９に記載の方法。
【請求項１１】
前記領域非依存ルール・ベースのパーサが、領域特化型構文解析ルールに依存せずに前記入力テキストの前記構文解析されたバージョンを生成する、請求項１〜請求項１０のいずれか一項に記載の方法。
【請求項１２】
前記共起の統計は、領域特化コーパス中で前記第二の語が前記第一の語を修飾している回数を示す、請求項３に記載の方法。
【請求項１３】
前記領域特化字句駆動型プレパーサに相当するソフトウェアが、クラウド・コンピューティング環境中で提供される、請求項１〜請求項１２のいずれか一項に記載の方法。
【請求項１４】
プロセッサに、請求項１〜請求項１３のいずれか一項に記載の方法における各ステップを実行させるための、コンピュータ・プログラム。
【請求項１５】
請求項１４に記載のコンピュータ・プログラムを記録した、コンピュータ可読ストレージ媒体。
【請求項１６】
入力テキストおよび語彙データを格納するように構成されたメモリと、
プロセッサであって、
前記入力テキスト中の第一の語を識別し、
前記第一の語に対応するエントリを識別するために前記語彙データにアクセスし、前記エントリが、コア・データおよび非コア・データを含み、前記コア・データは、前記第一の語に対する領域非依存字句情報に対応し、前記非コア・データは前記第一の語に対する領域特化字句情報に対応し、
前記エントリの前記非コア・データが、前記入力テキスト中の第二の語を前記第一の語の修飾語として識別していることを判断し、
領域特化字句駆動型プレパーサによって前記入力テキストの部分的に構文解析され括弧でくくられたバージョンを生成し、前記部分的に構文解析され括弧でくくられたバージョンは、前記入力テキスト中で前記第二の語が前記第一の語を修飾していることを示し、
領域非依存ルール・ベースのパーサによって前記入力テキストの前記部分的に構文解析され括弧でくくられたバージョンに基づいて、前記入力テキストの構文解析されたバージョンを生成する、
ように構成されたプロセッサと、
を含むシステム。
【請求項１７】
前記プロセッサが、領域特化コーパスの解析に基づいて共起の統計を生成するように構成され、前記共起の統計は前記領域特化コーパス中で前記第二の語が前記第一の語を修飾している回数を示し、前記非コア・データが、ユーザ入力または前記共起の統計のうちの少なくとも１つに基づいている、請求項１６に記載のシステム。
【請求項１８】
前記第二の語が、形容詞修飾語、前置詞修飾語、または名詞修飾語のうちの少なくとも１つを含む、請求項１６または請求項１７に記載のシステム。
【請求項１９】
前記入力テキストの前記部分的に構文解析され括弧でくくられたバージョンが、前記領域特化字句駆動型プレパーサによって、領域特化型構文解析ルールに基づいて生成される、請求項１６〜請求項１８のいずれか一項に記載のシステム。
【請求項２０】
前記領域特化型構文解析ルールが、連語ルール、形態意味論ルール、固有表現ベース・パターン・ルール、または意味論構文パターン・ルールのうちの少なくとも１つを含む、請求項１６〜請求項１９のいずれか一項に記載のシステム。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
クライアント接続を管理することができるトランザクション処理サーバであって、
前記サーバに対する個々のクライアント−サーバ接続を確立し、維持し、終了するように動作可能であり、各接続がクライアント要求を前記サーバに送信することができる、クライアント−サーバ・コネクタと、
クライアント要求を処理し、応答を発行するように動作可能な、前記サーバのトランザクション処理領域と、
クライアント要求がどのくらい迅速に処理されているかの性能記録を維持するように動作可能な、サーバ性能マネージャと、
入ってくるクライアント要求を監視し、各クライアント要求から、目標応答時間内で前記クライアント要求を処理するように前記トランザクション処理サーバに対して示す目標応答時間を抽出し、また前記目標応答時間に基づくとともに前記性能記録を参照して、入ってくる各クライアント要求を許可または拒否するように動作可能な、接続マネージャとを備える、トランザクション処理サーバ。
【請求項２】
前記接続マネージャが、拒否された要求の作成元であるクライアントに対して、要求拒否メッセージを送信するように更に動作可能である、請求項１に記載のサーバ。
【請求項３】
前記要求拒否メッセージが、サーバからクライアントへのデータ・パケットのメタデータに挿入される、請求項２に記載のサーバ。
【請求項４】
前記要求拒否メッセージが、前記性能記録を参照して得られる、前記要求を処理するための予測応答時間を含む、請求項２に記載のサーバ。
【請求項５】
前記目標応答時間が前記クライアント要求のメタデータに含まれる、請求項１に記載のサーバ。
【請求項６】
前記要求がトランザクション・タイプを有し、前記性能記録が、各トランザクション・タイプに基づいたクライアント要求の処理時間履歴を含む、請求項１に記載のサーバ。
【請求項７】
各処理時間が、関連するクライアント要求から集めた平均時間である、請求項１に記載のサーバ。
【請求項８】
前記平均が、より最近処理されたクライアント要求がより大きい重み付けを有して、リーセンシーによって重み付けされる、請求項１に記載のサーバ。
【請求項９】
入ってくるクライアント要求が、評価される前記クライアント要求に関連する前記目標応答時間および応答時間履歴の比較に基づいて、許可または拒否される、請求項１に記載のサーバ。
【請求項１０】
前記性能記録が、時間によって定義されるウィンドウ内で処理されたクライアント要求に基づく、請求項１に記載のサーバ。
【請求項１１】
前記性能記録が、多数の過去のトランザクション内におけるトランザクション・タイプの多数のクライアント要求に基づく、請求項１に記載のサーバ。
【請求項１２】
前記性能記録が多数の過去のクライアント要求に基づく、請求項１に記載のサーバ。
【請求項１３】
前記サーバがクライアント要求を許可する容量を現在有していないとき、前記サーバに対するクライアント要求がキューに入れられる、キューを更に備える、請求項１に記載のサーバ。
【請求項１４】
前記接続マネージャが、入ってくるクライアント要求が許可されることを条件として前記キューに追加され、拒否された要求が前記キューへのアクセスを拒絶されるように、前記キューへのアクセスをゲートで制御するように動作可能である、請求項１３に記載のサーバ。
【請求項１５】
入ってくるクライアント要求の前記接続マネージャによる前記監視が、前記キューを見ることによって行われ、拒否されたクライアント要求が前記キューから消去される、請求項１３に記載のサーバ。
【請求項１６】
コンピュータの処理によりトランザクション処理サーバへのクライアント接続を管理する、前記サーバによって実施される方法であって、
クライアントからのクライアント要求をクライアント−サーバ接続で受信することと、
前記クライアント要求から、前記クライアントがどのくらい迅速に前記要求が処理されることを望むかを示す目標応答時間を抽出することと、
前記目標応答時間に基づいて、また前記サーバによって維持されている、クライアント要求がどのくらい迅速に処理されているかの性能記録を参照して、前記クライアント要求を許可または拒否することとを含む、方法。
【請求項１７】
前記要求が拒否された場合、拒否メッセージを前記クライアントに送信することを更に含む、請求項１６に記載の方法。
【請求項１８】
前記クライアント要求がタイプ分類を含み、前記要求を許可または拒否するのに使用されるインジケータが前記タイプに特異的である、請求項１６に記載の方法。
【請求項１９】
請求項１６〜１８の何れか１項に記載の方法の各ステップをコンピュータに実行させる、コンピュータ・プログラム。
【請求項２０】
請求項１９に記載の前記コンピュータ・プログラムをコンピュータ可読記録媒体に記録した、記録媒体。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
プロセッサが、
基底語および修飾語を識別するために、領域固有コーパスの解析を行うことであって、前記領域固有コーパスの少なくとも一部の中で、前記修飾語が前記基底語を修飾している、解析を行うことと、
語彙データ中のエントリにアクセスすることであって、前記エントリが前記基底語に対する領域非依存字句情報に対応するコア・データを含む、アクセスすることと、
前記解析に基づいて、前記基底語に対する領域特化字句情報に対応する非コア・データを前記エントリに追加することであって、前記非コア・データは、前記修飾語を前記基底語の領域固有的修飾語として識別する、追加することと、
を実行する、方法。
【請求項２】
前記領域固有コーパスの前記解析に基づいて前記共起の統計を生成することをさらに含む、請求項１に記載の方法。
【請求項３】
前記共起の統計またはユーザ入力のうちの少なくとも１つに基づいて、前記修飾語が前記基底語を修飾していると判断することをさらに含み、前記共起の統計は、前記領域固有コーパス中で前記修飾語が前記基底語と隣り合っている回数を示す、請求項２に記載の方法。
【請求項４】
前記修飾語が、形容詞修飾語、前置詞修飾語、または名詞修飾語のうちの少なくとも１つを含む、請求項１〜請求項３のいずれか一項に記載の方法。
【請求項５】
前記プロセッサが、前記領域固有コーパス中で前記基底語とともに用いられている前記修飾語を、好適な領域固有的修飾語として識別することと、
前記プロセッサが、前記修飾語を前記基底語の好適な領域固有的修飾語として識別するために前記非コア・データを更新することと、
をさらに含む、請求項１〜請求項４のいずれか一項に記載の方法。
【請求項６】
前記領域固有コーパスに基づいて、領域特化字句駆動型プレパーサのための領域特化型構文解析ルールを生成することをさらに含む、請求項１〜請求項５のいずれか一項に記載の方法。
【請求項７】
前記領域特化型構文解析ルールが、連語ルール、形態意味論ルール、固有表現ベース・パターン・ルール、または意味論構文パターン・ルールのうちの少なくとも１つを含む、請求項６に記載の方法。
【請求項８】
前記領域特化字句駆動型プレパーサにおいて、前記非コア・データに基づいて、入力テキストの領域特化型解析を行うことと、
前記入力テキストの部分的に構文解析され括弧でくくられたバージョンを、前記領域特化字句駆動型プレパーサから領域非依存ルール・ベースのパーサに提供することと、
をさらに含む、請求項６または請求項７に記載の方法。
【請求項９】
前記領域特化字句駆動型プレパーサに相当するソフトウェアが、クラウド・コンピューティング環境において提供される、請求項６〜請求項８のいずれか一項に記載の方法。
【請求項１０】
前記領域固有コーパスの前記解析に基づいて、前記基底語の１つ以上のさらなる領域固有的修飾語として１つ以上の第二修飾語を識別するために前記非コア・データを更新することをさらに含む、請求項１から請求項９のいずれか一項に記載の方法。
【請求項１１】
前記非コア・データが、前記領域固有コーパスに関連付けられた第一領域とは別個の第二領域のための、前記基底語に対する１つ以上のさらなる修飾語を含む、請求項１から請求項１０のいずれか一項に記載の方法。
【請求項１２】
プロセッサに、請求項１〜請求項１１のいずれか一項に記載の方法における各ステップを実行させるための、コンピュータ・プログラム。
【請求項１３】
請求項１２に記載のコンピュータ・プログラムを記録したコンピュータ可読ストレージ媒体。
【請求項１４】
語彙データを格納するように構成されたメモリと、
字句アナライザであって、
基底語および修飾語を識別するために、領域固有コーパスの解析を行い、前記領域固有コーパスの少なくとも一部の中で前記修飾語が前記基底語を修飾しており、
前記語彙データ中のエントリにアクセスし、前記エントリが前記基底語に対する領域非依存字句情報に対応するコア・データを含み、
前記解析に基づいて、前記基底語に対する領域特化字句情報に対応する非コア・データを前記エントリに追加し、前記非コア・データは、前記修飾語を前記基底語の領域固有的修飾語として識別する、
ように構成された字句アナライザと、
を含むシステム。
【請求項１５】
前記字句アナライザが、前記領域固有コーパスの前記解析に基づいて、前記基底語の１つ以上のさらなる領域固有的修飾語として１つ以上の第二修飾語を識別するために前記非コア・データを更新するようにさらに構成される、請求項１４に記載のシステム。
【請求項１６】
前記非コア・データが、前記領域固有コーパスに関連付けられた第一領域とは別個の第二領域のための、前記基底語に対する１つ以上のさらなる修飾語を含む、請求項１４または請求項１５に記載のシステム。
【請求項１７】
領域特化字句駆動型プレパーサをさらに含み、前記字句アナライザが、前記領域固有コーパスに基づいて、前記領域特化字句駆動型プレパーサのための領域特化型構文解析ルールを生成するようにさらに構成される、請求項１４〜請求項１６のいずれか一項に記載のシステム。
【請求項１８】
前記領域特化字句駆動型プレパーサが、
前記非コア・データに基づいて入力テキストの領域特化型解析を行い、
前記入力テキストの部分的に構文解析され括弧でくくられたバージョンを、領域非依存ルール・ベースのパーサに提供する、
ように構成される、請求項１７に記載のシステム。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
乳がん検出に用いるハイブリッド検出のための方法であって、
コンピュータが、
デジタル画像の受信に応答して、前記デジタル画像上の関心領域を特定することであって、前記関心領域は、前記関心領域内の各ポイントについてのグレーレベルを用いて表現される、特定することと、
前記グレーレベルを低減させるモルフォロジカル・フィルタを、前記デジタル画像の前記関心領域内の各ポイントについての各グレーレベルに適用することと、
エントロピー・フィルタを、前記デジタル画像の前記関心領域内の各ポイントについての各グレーレベルに適用することであって、前記デジタル画像内の他のグレー値に対する局所的最大値を示す最大グレー値のセットをキャプチャするために前記エントロピー・フィルタを適用することと、
前記モルフォロジカル・フィルタを適用した結果と前記エントロピー・フィルタを適用した結果との組み合わせであるハイブリッド結果を生成することと、
前記ハイブリッド結果を用いて、サブセグメント化を伴う選択されたクラスタリング・アルゴリズムを用いることにより、前記デジタル画像を潜在的問題領域にセグメント化することと、
を実行する、方法。
【請求項２】
前記選択されたクラスタリング・アルゴリズムは、ｋ−平均法及びｃ−平均法のうちの一方を含む、請求項１に記載の方法。
【請求項３】
ユーザ・インターフェース上に、セグメント化された前記デジタル画像を表示することをさらに含む、請求項１又は請求項２に記載の方法。
【請求項４】
マンモグラム・キャプチャ・デバイスにより、前記デジタル画像をキャプチャすることをさらに含む、請求項１〜請求項３のいずれか一項に記載の方法。
【請求項５】
前記キャプチャすることと、前記特定することと、前記モルフォロジカル・フィルタを適用することと、前記エントロピー・フィルタを適用することとは、同じデバイスにより実行され、前記デバイスは、前記マンモグラム・キャプチャ・デバイスを含む、請求項４に記載の方法。
【請求項６】
前記特定することの前に、データベースからの前記デジタル画像にアクセスすることをさらに含む、請求項１〜請求項５のいずれか一項に記載の方法。
【請求項７】
プログラム命令が格納されたコンピュータ可読ストレージ媒体と、
プロセッサであって、
デジタル画像の受信に応答して、前記デジタル画像上の関心領域を特定することであって、前記関心領域は、前記関心領域内の各ポイントについてのグレーレベルを用いて表現される、特定することと、
前記グレーレベルを低減させるモルフォロジカル・フィルタを、前記デジタル画像の前記関心領域内の各ポイントについての各グレーレベルに適用することと、
エントロピー・フィルタを、前記デジタル画像の前記関心領域内の各ポイントについての各グレーレベルに適用することであって、前記デジタル画像内の他のグレー値に対する局所的最大値を示す最大グレー値のセットをキャプチャするために前記エントロピー・フィルタを適用することと、
前記モルフォロジカル・フィルタを適用した結果と前記エントロピー・フィルタを適用した結果との組み合わせであるハイブリッド結果を生成することと、
前記ハイブリッド結果を用いて、サブセグメント化を伴う選択されたクラスタリング・アルゴリズムを用いることにより、前記デジタル画像を潜在的問題領域にセグメント化することと、
を実行するように構成された１つ又は複数のプロセッサと、
を含む、コンピュータ・システム。
【請求項８】
前記選択されたクラスタリング・アルゴリズムは、ｋ−平均法及びｃ−平均法のうちの一方を含む、請求項７に記載のシステム。
【請求項９】
前記プロセッサは、ユーザ・インターフェース上に、セグメント化された前記デジタル画像を表示することをさらに実行するように構成されている、請求項７又は請求項８に記載のシステム。
【請求項１０】
前記プロセッサは、マンモグラム・キャプチャ・デバイスにより、前記デジタル画像をキャプチャすることをさらに実行するように構成されている、請求項７〜請求項９のいずれか一項に記載のシステム。
【請求項１１】
マンモグラム・キャプチャ・デバイスをさらに含む、請求項７〜請求項１０のいずれか一項に記載のシステム。
【請求項１２】
前記プロセッサは、前記特定することの前に、データベースからの前記デジタル画像にアクセスすることをさらに実行するように構成されている、請求項７〜請求項１１のいずれか一項に記載のシステム。
【請求項１３】
乳がん検出に用いるハイブリッド検出のためのコンピュータ・プログラムであって、
請求項１〜請求項６のいずれか一項に記載の方法における各ステップをプロセッサに実行させるためのコンピュータ・プログラム。
【請求項１４】
請求項１３に記載のコンピュータ・プログラムを記録した、コンピュータ可読ストレージ媒体。